(57)【要約】【課題】閃光放電管、トリガーコイル及びスイッチング素子をユニット化してコンパクトに構成することができるストロボ装置を提供することにある。【解決手段】ユニット本体１に閃光放電管７を反射笠６とともに保持する放電管保持部２と構成ブロック収納部５を形成する互いに対向する一対の支持脚３ａ，３ｂを設け、支持脚の一方に第１の端子８、他方に第２の端子を設け、構成ブロック収納部に両端部が第１と第２の端子に設けられた基板挟持部１３，１７に挟持固定されたサブプリント基板１８を設け、サブプリント基板に閃光放電管の反射笠と電気的に接続されるトリガー接片を有するトリガーコイル１９及び閃光放電管及びトリガーコイルと電気的に接続されるスイッチング素子２１を設け、さらにトリガーコイル及びスイッチング素子と電気的に接続された状態でサブプリント基板に固定される第３及び第４の端子２７，２８を設けた。【選択図】    図１
2004170502.tif 000002
【特許請求の範囲】
【請求項１】
少なくとも閃光放電管、トリガーコイル及びスイッチング素子等の構成ブロックを絶縁材料からなるユニット本体に配置し、前記構成ブロック相互を電気的に接続してメインプリント基板に搭載するストロボ装置であって、
前記ユニット本体に設けられ、前記閃光放電管を反射笠とともに保持する放電管保持部と、
前記放電管保持部の両端部から一体に突出して設けられ、構成ブロック収納部を形成する互いに対向する一対の支持脚と、
前記支持脚の一方に添設され、一端部に前記閃光放電管の一方の電極と電気的に接続された接片、他端部に前記メインプリント基板に接続される端子部及び中間部に前記構成ブロック収納部に突出して第１の基板挟持部を形成した第１の端子と、
前記支持脚の他方に添設され、一端部に前記閃光放電管の他方の電極と電気的に接続された接片、他端部に前記構成ブロック収納部に突出して第２の基板挟持部を形成した第２の端子と、
前記構成ブロック収納部に収納され、両端部が前記第１と第２の基板挟持部に挟持固定されたサブプリント基板と、
前記サブプリント基板に搭載され、前記閃光放電管の反射笠と電気的に接続されるトリガー接片を有するトリガーコイルと、
前記サブプリント基板に搭載され、前記閃光放電管及びトリガーコイルと電気的に接続されるスイッチング素子と、
一端部が前記トリガーコイル及びスイッチング素子と電気的に接続された状態で前記サブプリント基板に固定され、他端部に前記メインプリント基板に接続される端子部を有する第３及び第４の端子とを
具備したことを特徴とするストロボ装置。
【請求項２】
前記第１と第２の基板挟持部は、第１及び第２の端子の一部を引き起こした一対の舌片からなり、この舌片が前記支持脚を貫通して前記構成ブロック収納部に突出し、サブプリント基板を挟持することを特徴とする請求項１記載のストロボ装置。
【発明の詳細な説明】
【０００１】
【発明の属する技術分野】
この発明は、例えば、デジタルスチールカメラ等のストロボ装置に関する。
【０００２】
【従来の技術】
ストロボ装置は、閃光放電管、トリガーコイル、スイッチング素子及びコンデンサ等の構成部品で構成され、これら構成部品は、プリント基板に搭載されるとともに、電気的に接続されている。トリガーコイルは、通常トリガーリード線を介して閃光放電管に接続され、トリガー電圧の印加を行っている。
【０００３】
しかし、トリガーリード線には高電圧が供給されることから、他の電子部品に対してノイズ対策、絶縁対策を行なう必要があり、ストロボ装置の組立て時にはトリガーリード線の配線処理に注意を払っており、工程数が増加してコストアップの原因となっている。
【０００４】
そこで、従来、閃光放電管を反射笠の開口内に挿通した後、反射笠を光学パネルに係合固定するとともに、光学パネルをプリント基板と係合固定する。さらに、光学パネルにトリガー接片を装着し、さらに閃光放電管の一対の主電極と電極接片間及びトリガー接片とトリガーコイルの出力端間をそれぞれ電気的に接続し、配線作業の簡素化を図った技術が知られている（例えば、特許文献１参照）。
【０００５】
【特許文献１】
実開平５−８３７３８号公報（請求項１及び図１、図２）
【０００６】
【発明が解決しようとする課題】
しかしながら、特許文献１は、プリント基板に光学パネルを固定するための切欠部を設け、この切欠部に反射笠を含む閃光放電管を装着するとともに、この閃光放電管とプリント基板に搭載したトリガーコイルとをトリガー接片によって接続した構造である。従って、プリント基板に閃光放電管とトリガーコイルとを組み込むとともに、電気的に接続するものは知られているが、光電量等を制御するスイッチング素子、コンデンサ等の電子部品を閃光放電管とトリガーコイルとともに、ユニット化したものは知られていない。
【０００７】
この発明は、前記事情に着目してなされたもので、その目的とするところは、少なくとも閃光放電管、トリガーコイル及びスイッチング素子をユニット化してコンパクトに構成するとともに、配線の簡素化を図り、組立作業性の向上を図ることができるストロボ装置を提供することにある。
【０００８】
【課題を解決するための手段】
この発明は、前記目的を解決するために、請求項１は、少なくとも閃光放電管、トリガーコイル及びスイッチング素子等の構成ブロックを絶縁材料からなるユニット本体に配置し、前記構成ブロック相互を電気的に接続してメインプリント基板に搭載するストロボ装置であって、前記ユニット本体に設けられ、前記閃光放電管を反射笠とともに保持する放電管保持部と、前記放電管保持部の両端部から一体に突出して設けられ、構成ブロック収納部を形成する互いに対向する一対の支持脚と、前記支持脚の一方に添設され、一端部に前記閃光放電管の一方の電極と電気的に接続された接片、他端部に前記メインプリント基板に接続される端子部及び中間部に前記構成ブロック収納部に突出して第１の基板挟持部を形成した第１の端子と、前記支持脚の他方に添設され、一端部に前記閃光放電管の他方の電極と電気的に接続された接片、他端部に前記構成ブロック収納部に突出して第２の基板挟持部を形成した第２の端子と、前記構成ブロック収納部に収納され、両端部が前記第１と第２の基板挟持部に挟持固定されたサブプリント基板と、前記サブプリント基板に搭載され、前記閃光放電管の反射笠と電気的に接続されるトリガー接片を有するトリガーコイルと、前記サブプリント基板に搭載され、前記閃光放電管及びトリガーコイルと電気的に接続されるスイッチング素子と、一端部が前記トリガーコイル及びスイッチング素子と電気的に接続された状態で前記サブプリント基板に固定され、他端部に前記メインプリント基板に接続される端子部を有する第３及び第４の端子とを具備したことを特徴とするストロボ装置にある。
【０００９】
請求項２は、請求項１の前記第１と第２の基板挟持部は、第１及び第２の端子の一部を引き起こした一対の舌片からなり、この舌片が前記支持脚を貫通して前記構成ブロック収納部に突出し、サブプリント基板を挟持することを特徴とする。
【００１０】
前述した構成によれば、ユニット本体に対して閃光放電管、トリガーコイル及びスイッチング素子等の構成ブロックを一体的に組み込むことができ、しかもこれら構成ブロックを電気的に接続して端子に接続することができる。従って、端子の端子部をメインプリント基板の差し込み孔に差し込み、半田付けすることにより、ストロボ装置をメインプリント基板に簡単に搭載できる。
【００１１】
【発明の実施の形態】
以下、この発明の実施の形態を図面に基づいて説明する。
【００１２】
図１はストロボ装置の斜視図、図２は同じく正面図である。ストロボ装置の本体を構成するユニット本体１は絶縁材料、例えば合成樹脂材料によって一体に成形されている。ユニット本体１は扁平矩形状で、その上部には長方形状の凹陥部からなる放電管保持部２が設けられ、この放電管保持部２の長手方向の両端部には下方に一体に突出する一対の支持脚３ａ，３ｂが設けられている。さらに、支持脚３ａ，３ｂ間には背面板４が一体に設けられ、前面が開口する構成部ロック収納部５が形成されている。
【００１３】
放電管保持部２にはアルミニウムプレートを湾曲して形成した反射笠６が設けられ、この反射笠６の内部には構成ブロックとしてのキセノンランプ等の閃光放電管７が装着されている。この閃光放電管７の両端部には電極７ａ，７ｂが設けられ、この電極７ａ，７ｂは反射笠６の両端部から外方に突出している。
【００１４】
ユニット本体１の一方の支持脚３ａにはプラス端子としての第１の端子８が設けられている。この第１の端子８は、図３（ａ）（ｂ）に示すように、金属帯状板によって形成され、一端部には閃光放電管７の一方の電極７ａと接続する凹部からなる接片９が設けられ、他端部には端子部１０が設けられている。第１の端子８の中間部には幅方向に屈曲する屈曲部１１及び板厚方向に折曲する折曲部１２が設けられている。さらに、第１の端子８の屈曲部１１と折曲部１２との間には一対の切起し舌片からなる第１の基板挟持部１３が側方に突出して設けられている。
【００１５】
第１の端子８の折曲部１２より上部はユニット本体１の支持脚３ａの外側面に固定され、折曲部１２は支持脚３ａに設けられたスリット１４を貫通して支持脚３ａの内側から下方に突出している。さらに、第１の基板挟持部１３は支持脚３ａを貫通して構成ブロック収納部５に突出している。
【００１６】
ユニット本体１の他方の支持脚３ｂにはマイナス端子としての第２の端子１５が設けられている。この第２の端子１５は、図４（ａ）（ｂ）に示すように、金属帯状板によって形成され、一端部には閃光放電管７の他方の電極７ｂと接続する凹部からなる接片１６が設けられ、他端部には一対の切起し舌片からなる第２の基板挟持部１７が側方に突出して設けられている。第２の端子１５はユニット本体１の支持脚３ｂの外側面に固定され、第２の基板挟持部１７は支持脚３ｂを貫通して構成ブロック収納部５に突出している。
【００１７】
そして、第１と第２の端子８，１５の接片９，１６は閃光放電管７の電極７ａ，７ｂに半田付けによって電気的に接続されている。また、第１と第２の基板挟持部１３，１７は互いに対向しており、第１と第２の基板挟持部１３，１７相互間には構成ブロック収納部５に収納されたサブプリント基板１８が支持されている。すなわち、サブプリント基板１８の左右両端縁は第１と第２の基板挟持部１３，１７に挟持固定されている。
【００１８】
サブプリント基板１８の上面には構成ブロックとしてのトリガーコイル１９、コンデンサ２０が搭載され、下面には構成ブロックとしてのスイッチング素子２１、コンデンサ２２が搭載されている。トリガーコイル１９には第１、第２及び第３の電極２３ａ，２３ｂ，２３ｃが設けられている。そして、第３の電極２３ｃにはトリガー接片２４が設けられている。
【００１９】
トリガー接片２４は、図５（ａ）（ｂ）に示すように、基端部に第３の電極３ｃに係合する係合部２５が設けられ、先端部にはばね性を有する一対の接触片２６が一体に設けられている。そして、接触片２６は反射笠６の背面に弾性的に接触して電気的に接続されている。
【００２０】
さらに、サブプリント基板１８の端縁には第３の端子としての信号接片２７及び第４の端子としてのＧＮＤ接片２８が設けられている。信号接片２７は、図５（ａ）（ｂ）に示すように、上端部にサブプリント基板１８の下面と離間する接片部２９が設けられている。この接片部２９の一端部には上方に突出する基板挟持部３０が設けられ、他端部には下方へ突出する端子部３１が設けられている。そして、この信号接片２７は基板挟持部３０をサブプリント基板１８の端縁に挟持固定されているとともに、スイッチング素子２１と半田付けによって電気的に接続されている。
【００２１】
ＧＮＤ接片２８は、図６（ａ）（ｂ）に示すように、上端部にサブプリント基板１８の端縁に挟持固定される基板挟持部３２が設けられ、他端部には下方へ突出する端子部３３が設けられている。そして、このＧＮＤ接片２８はスイッチング素子２１と半田付けによって電気的に接続されている。
【００２２】
従って、サブプリント基板１８には第１の端子８、信号接片２７及びＧＮＤ接片２８が下方に突出して設けられ、これら端子部１０、３１、３３はユニット本体１の支持脚３ａ，３ｂより下方に突出している。そして、端子部１０、３１、３３はメインプリント基板３４の差し込み孔３５に差し込まれ、メインプリント基板３４に対してユニット本体１が搭載されるようになっている。
【００２３】
前述した構成によれば、ユニット本体１に対して閃光放電管７、トリガーコイル１９及びスイッチング素子２１等の構成ブロックを一体的に組み込むことができ、しかもこれら構成ブロックを電気的に接続して端子８，２７，２８に接続することができる。従って、端子８，２７，２８の端子部１０，３１，３３をメインプリント基板３４の差し込み孔３５に差し込み、半田付けすることにより、ストロボ装置をメインプリント基板３４に簡単に搭載できる。
【００２４】
なお、前記実施形態においては、閃光放電管７、トリガーコイル１９及びスイッチング素子２１等の構成ブロックについて説明したが、コンデンサ、抵抗素子等の電子部品も同時に搭載して電気的に接続することができる。
【００２５】
【発明の効果】
以上説明したように、この発明によれば、少なくとも閃光放電管、トリガーコイル及びスイッチング素子をユニット化してコンパクトに構成するとともに、配線の簡素化を図り、組立作業性の向上を図ることができる。従って、従来に比較して大幅なコストダウンを図ることができる。
【図面の簡単な説明】
【図１】この発明の第１の実施形態を示し、ストロボ装置の斜視図。
【図２】同実施形態を示し、ストロボ装置の正面図。
【図３】同実施形態を示し、（ａ）（ｂ）は第１の端子の正面図及び側面図。
【図４】同実施形態を示し、（ａ）（ｂ）は第２の端子の正面図及び側面図。
【図５】同実施形態を示し、（ａ）（ｂ）はトリガー接片の正面図及び側面図。
【図６】同実施形態を示し、（ａ）（ｂ）は信号接片の正面図及び側面図。
【図７】同実施形態を示し、（ａ）（ｂ）はＧＮＤ接片の正面図及び側面図。
【図８】同実施形態を示し、電気回路図。
【符号の説明】
１…ユニット本体、２…放電管保持部、３ａ，３ｂ…支持脚、５…構成ブロック収納部、６…反射笠、７…閃光放電管、８…第１の端子、１３，１７…基板挟持部、１５…第２の端子、１８…サブプリント基板、１９…トリガーコイル、２１…スイッチング素子
【図１】
2004170502.tif 000003
【図２】
2004170502.tif 000004
【図３】
2004170502.tif 000005
【図４】
2004170502.tif 000006
【図５】
2004170502.tif 000007
【図６】
2004170502.tif 000008
【図７】
2004170502.tif 000009
【図８】
2004170502.tif 000010